(57)【特許請求の範囲】
【請求項１】
ロール状の記録紙を収納する収納部と、前記記録紙に印刷を行う印刷ヘッドを有するプリンタにおいて、
前記収納部は、前記記録紙の直径が比較的大きいときに前記記録紙を支持するための折曲部と、前記印刷ヘッドと前記折曲部の間に形成され、前記記録紙の直径が比較的大きいときに前記記録紙を支持するための第１支持面と、前記折曲部と前記第１支持面の間に溝状に形成され、前記記録紙の直径が比較的小さいときに前記記録紙を支持するための案内部とを具備し、
当該案内部は、前記折曲部と前記第１支持面の間に形成された第２支持面と、この第２支持面と前記折曲部の間に形成され、第２支持面と対向する第３支持面を具備していることを特徴とするプリンタ。
【請求項２】
請求項１において、前記第２支持面は前記第１支持面と連続して形成されており、前記折曲部が前記第１支持面と前記第２支持面の境界よりプリンタの設置面を基準にして高い位置に形成されていることを特徴とするプリンタ。
【請求項３】
請求項１において、前記第３支持面が前記折曲部に連続して形成されていることを特徴とするプリンタ。
【請求項４】
請求項１において、前記第１支持面と印刷ヘッドの間に形成され、前記第１支持面に連続して形成された第４支持面を有し、プリンタの設置面に対する前記第４支持面の傾斜角が前記第１支持面の傾斜角に比べて大きいことを特徴とするプリンタ。
【請求項５】
請求項４において、前記収納部に収納された記録紙の直径が小さくなるに従って、前記折曲部と第４支持面で支持された記録紙が前記折曲部と第１支持面によって支持された後に、再び前記第２支持面と第３支持面で支持されるように前記第１乃至第４支持面及び前記折曲部が配置されていることを特徴とするプリンタ。
【請求項６】
請求項５において、前記第１乃至第４支持面が略リブ状に形成されていることを特徴とするプリンタ。
【請求項７】
請求項１乃至請求項６の中のいずれか１項において、前記記録紙の残量が一定量以下になったことを検出するための検出手段が、前記案内部に設置されていることを特徴とするプリンタ。
【発明の詳細な説明】
【０００１】
【発明の属する技術分野】
本発明は、例えばＰＯＳ（Ｐｏｉｎｔ−Ｏｆ−Ｓａｌｅ）システムに用いられるレシートプリンタ等のプリンタに関し、特に、ロール状の記録紙の残量を検出する紙終端検出手段を備えたプリンタに関する。
【０００２】
【従来の技術】
従来、この種のプリンタとして、ロール状の記録紙に対してサーマルヘッド等によって印字等を行った後、例えばレシート等として手渡すため、カッターによってその記録紙を切断するものが知られている。
【０００３】
【発明が解決しようとする課題】
ところで、この種のプリンタにおいては、記録紙の交換を容易にするために、ロール状の記録紙の巻芯部を軸により回転自在に支持することをせずに、装置本体の収納部に記録紙を投げ込んでロール状の記録紙の外径を収納部の底部に接地させる構成のものが多い。そのため、特に、感熱式プリンタの場合、ドットプリンタのように記録紙が断続的に搬送されないので、巻戻しによる弛んだ記録紙と、ロール状の記録紙との間に、幅方向のずれが生じた場合にその修正がされないという課題がある。
【０００４】
本発明は、このような従来の技術の課題を考慮してなされたもので、その目的とするところは、ロール紙の搬送時に、巻戻しによるずれが残り、ロール紙の搬送に不具合が生じることを防止することにある。
【０００５】
【課題を解決するための手段】
上記目的を達成するため、本発明のプリンタは、ロール状の記録紙を収納する収納部と、前記記録紙に印刷を行う印刷ヘッドを有するプリンタにおいて、収納部は、記録紙の直径が比較的大きいときに記録紙を支持するための折曲部と、印刷ヘッドと折曲部の間に形成され、記録紙の直径が比較的大きいときに記録紙を支持するための第１支持面と、折曲部と第１支持面の間に溝状に形成され、記録紙の直径が比較的小さいときに記録紙を支持するための案内部とを具備し、その案内部は、折曲部と第１支持面の間に形成された第２支持面と、この第２支持面と前記折曲部の間に形成され、第２支持面と対向する第３支持面を具備していることを特徴とする。これによれば、記録紙を搬送すると、収納部内にある記録紙は折曲部、及び各支持面によってある程度揺動し、巻戻しによるずれが生じても、そのずれは揺動することによって、修正される。
【０００６】
また、ロール紙をよりスムーズに揺動させるために、第２支持面を、第１支持面と連続して形成し、折曲部を第１支持面と第２支持面の境界よりプリンタの設置面を基準にして高い位置に形成することが好ましい。
【０００７】
更に、第１支持面と印刷ヘッドの間に、第１支持面に連続して形成された第４支持面を設けてもよい。この場合、プリンタの設置面に対する第４支持面の傾斜角を第１支持面の傾斜角に比べて大きくすることが望ましい。また、第１乃至第４支持面及び折曲部の位置関係は、収納部に収納された記録紙の直径が小さくなるに従って、折曲部と第４支持面で支持された記録紙が前記折曲部と第１支持面によって支持された後に、再び第２支持面と第３支持面で支持されるようになっていることが望ましい。
【０００８】
これによれば、案内部に位置する記録紙は、紙送りされると斜面のなだらかな第１支持面に乗り上げ、急角度で形成された第４支持面によって記録紙は案内部まで巻戻される。このように記録紙の外径が大きい場合は断続的に巻戻しされながら繰り出される。なお、記録紙が小径になると、案内部から脱しにくくなるが、幅方向にずれが生じても、既に記録紙の重さが軽くなっているため、容易に修正される。
【０００９】
また、少ない接触面積で記録紙を支持するために、第１乃至第４支持面を略リブ状に形成してもよい。また、記録紙の残量が一定量以下になったことを検出するための検出手段を、案内部に設置してもよい。
【００１０】
【発明の実施の形態】
以下、本発明に係るプリンタの好ましい実施の形態を図１〜図１１を参照して詳細に説明する。
【００１１】
図２は、本発明に係るプリンタの一実施の形態の外観構成を示す斜視図である。本実施の形態のプリンタ１は、例えば、ＰＯＳシステム等に用いられるレシートプリンタ等に適用されるものである。
【００１２】
本実施の形態のプリンタ１は、例えば記録媒体の一つであるロール状の記録紙Ｓに対して感熱方式の印字ヘッド３９（図３参照）により印字等の記録を行うもので、概ね前方には記録部、紙カット部、後方には記録紙Ｓを収納保持するためのロール紙収納部とから構成される。
【００１３】
そして、プリンタ機構８（図２参照）は、樹脂からなるケース本体４に取り付けられたパネル２や上部カバー５等により覆われている。
【００１４】
ここで、カバーフレーム１０には、上部カバー５が取り付けられている。そして、オープンボタン７を矢印Ｂ方向に押すと、カバーオープンレバー９が時計方向に回転されてそのロック機構が外され、上部カバー５は矢印Ｃ方向に開いてロール紙収納部が露出するように構成される。
【００１５】
図１及び図２は、本実施の形態のプリンタ１の内部のプリンタ機構８を示す斜視図であり、図１は、カバーフレーム１０が開かれた状態のプリンタ機構８の左側面を見た外観図、図２はカバーフレーム１０が閉じられた状態のプリンタ機構８の右側面を見た外観図である。
【００１６】
プリンタ機構８は、金属等からなる本体フレーム１３の上に設けられた開閉自在のカバーフレーム１０と、可動刃３２及びその駆動手段を収納するためのオートカッタユニット１１を有している。
【００１７】
カバーフレーム１０は、本体フレーム１３の両側の上端部に設けられた支軸１４を中心として揺動即ち開閉自在に取り付けられている。なお、カバーフレーム１０には、カバーフレーム１０を閉じた際に記録紙Ｓとの接触を避けるための円弧状の蓋部１５が設けられている。
【００１８】
図１に示すように、カバーフレーム１０を開いた内部には、樹脂製のロール紙ホルダ１７が配置されている。さらに、ロール紙ホルダ１７には本体フレーム１３の左右の側面板と係合するスリット溝２７が設けられており、スリット溝２７が本体フレーム１３の左右の側面部の凸部と係合すると、ロール紙ホルダ１７の幅方向が規制される為、記録紙Ｓに対して記録紙収納部の内側は適正な幅が維持される。
【００１９】
また、本体フレーム１３の左側面には、記録紙Ｓの紙の残量が少なくなってきたことを検出するための紙終端検出器２４が支軸であるボルト２５を中心として回動可能に取り付けられている。これは、本プリンタ１の設置角度を変える場合、それに合わせて、紙終端検出器２４を最適位置にするためのものである。例えば、図１に示すように、本体フレーム１３の底面２８を下にして設置する場合、紙終端検出器２４の検出レバー６３は本体フレーム１３に設けられた孔３２ａと対向する位置に固定される。一方、本体フレーム１３の背面２９を下にして設置する場合、検出レバー６３は孔３２ｂと対向する位置に固定される。
【００２０】
図３は、プリンタ機構８の側断面図を示すものであり、ロール紙ホルダ１７に記録紙Ｓが保持され、紙送りしている状態を示している。図３においては、使用初期の外径が大きい大径の記録紙Ｓが収納された状態を示しており、紙送りされて、記録紙Ｓの外径が小さくなっていくと記録紙Ｓは案内部３８に落ち込むようになる。そして、前述した紙終端検出器２４によって、記録紙Ｓの外径が小径になったことを検出する。この点については、後述する。
【００２１】
記録紙Ｓは、プラテン１８と印字ヘッド３９に挟持され、プラテン１８が回転するとその摩擦力で紙送りされる。印字ヘッド３９を通過した記録紙Ｓは可動刃３２と固定刃３３の間を通り、矢印Ｄ方向へ排出される。
【００２２】
なお、本体フレーム１３の底面２８の後方側には、プリンタ１を若干傾けて設置するための傾斜部２８ａが設けられている。また、本体フレーム１３の後部には、本体フレーム１３の背面２９を下にしてプリンタ１を設置する場合に記録紙Ｓを保持するための案内部６０が設けられている。
【００２３】
以上、本実施の形態に係るプリンタ１の全体の基本構成について概略を説明した。次に、本願発明の特徴とする紙終端検出器２４について、図４から図１１を用いて、更に詳細に説明する。
【００２４】
図４は、記録紙Ｓが小径となった場合の安定位置を示すための説明図であり、本体フレーム１３の底面２８を下にしてプリンタ１を水平面Ｈ上に設置した場合を示すものである。
【００２５】
上述したように、記録紙Ｓが大径の状態においては、記録紙Ｓはロール紙ホルダ１７の前方側に形成された支持面１７ａとロール紙ホルダ１７の後方側に形成された折曲部１７ｂによって支持されるが、紙送りされて、記録紙Ｓが小径になっていくと、図４に示すように、記録紙Ｓは、支持面１７ｃ（第１支持面）と折曲部１７ｂによって支持されるようになる。ここで、支持面１７ｃは支持面１７ａより後方側に形成され、支持面１７ａよりも水平に近い角度になるように形成されている。
【００２６】
さらに、紙送りされて記録紙Ｓが小径になっていくと、記録紙Ｓは案内部３８に落ち込み、これによって保持される。ここで、案内部３８は、互いに向き合う方向に形成された支持面１７ｄ（第２支持面）と支持面１７ｅ（第３支持面）とから構成される。この場合、支持面１７ｄは支持面１７ｃの後方側に形成され、また、支持面１７ｅは折曲部１７ｂと連続して形成される。また、これら支持面は、周囲の面より略リブ状に突出し、少ない接触面積で記録紙Ｓを支持している。
【００２７】
図４に示すように、本実施の形態においては、水平面Ｈに対する支持面１７ｄの角度αが水平面Ｈに対する支持面１７ｅの角度βよりも小さく（例えば、α＝２５°、β＝６５°）なるように形成されている。
【００２８】
また、水平面Ｈに対する支持面１７ｄの角度αは水平面Ｈに対する支持面１７ｃの角度よりも大きくなるように形成されており、その結果、引き出される記録紙Ｓの角度も、記録紙Ｓの径が小さくなるに従って小さくなる（δ＜γ）。
【００２９】
図５は、本体フレーム１３の底面２８の傾斜部２８ａを下にしてプリンタ１を水平面Ｈ上に設置した場合の記録紙Ｓの安定位置を示すものである。
【００３０】
図５に示すように、この場合においても、記録紙Ｓが小径になったときには、記録紙Ｓは案内部３８の支持面１７ｄ及び１７ｅによって保持される。
【００３１】
なお、本実施の形態においては、プリンタ１を設置した場合に上部カバー５が水平になるように、傾斜部２８ａが底面２８に対して２０°傾けて形成されている。その結果、この場合には、α＝β＝４５°となる。また、引き出される記録紙Ｓの角度δは５９°となる。
【００３２】
図６は、例えば、鉛直な壁面にプリンタ１を設置する場合のように、本体フレーム１３の背面２９を下にしてプリンタ１を設置する場合の記録紙Ｓの安定位置を示すものである。
【００３３】
図６に示すように、この場合において、記録紙Ｓが小径になったときには、記録紙Ｓは本体フレーム１３の後端部に設けられた案内部６０によって保持される。この案内部６０は、図６に示すように、ロール紙ホルダ１７の後端部に形成された支持面１７ｆと、支持面６１ａから構成される。この支持面６１ａを備えた支持部材６１は、ロール紙ホルダ１７とは別体であり、ロール紙ホルダ１７に固定されているものである。
【００３４】
本実施の形態においては、図４に示す水平面Ｈ上にプリンタ１を設置した場合と同様に、水平面Ｈに対する支持面１７ｆの角度αよりも、水平面Ｈに対する上記支持部６１の支持面６１ａの角度βが大きくなるように構成されている。この場合、例えば、α＝２６°、β＝６４°となるように構成され、また、引き出される記録紙Ｓの角度δは８７°となる。
【００３５】
図７〜図９は、本実施の形態における紙終端検出器２４を示すものであり、図７は正面図、図８は本体フレームへの固定部分の拡大正面図、図９は側面図である。
【００３６】
図７に示すように、本実施の形態の紙終端検出器２４は、概ね、ともに長尺の部材からなる検出フレーム６２と検出レバー６３とから構成される。検出フレーム６２と検出レバー６３は、ともにアクリロニトリル・ブタジエン・スチレン共重合体（ＡＢＳ）、ポリアセタール（ＰＯＭ）等の樹脂材料からなる。そして、検出レバー６３の基端部に対称に２つの支軸６３ａ、６３ｂが設けられ、図９に示すように、これらの支軸６３ａ、６３ｂを中心にして検出レバー６３が検出フレーム６２に回動自在に係止されている。
【００３７】
検出レバー６３の先端部には、記録紙Ｓの側端面と当接する検出子６４が設けられている。この検出子６４は、例えば樹脂材料からなるが、検出レバー６３に一体的に形成するようにしてもよい。また、検出子６４は、検出レバー６３の長手方向と直交する方向に延びるように形成される。検出子６４は、後述するように、記録紙Ｓの巻芯部７５の空間７６内に入り込みやすいように先細に形成されている。
【００３８】
また、図９に示すように、検出レバー６３の中央部分には、後述する突起６５が設けられている。この突起６５は、例えば樹脂製の板状の部材からなり、検出子６４と同様に、検出レバー６３の長手方向と直交する方向に延びるように形成される。この場合、突起６５の長さは検出子６４の長さより若干短く形成される。なお、突起６５は、検出レバー６３と一体的に形成することもできる。
【００３９】
さらに、突起６５の検出子６４と対向する側、すなわち、記録紙Ｓの半径方向外方側には傾斜面６５ａが形成され、突起６５の先端部分が先細に形成されている。
【００４０】
一方、図７および図９に示すように、検出フレーム６２には、検出レバー６３の突起６５を逃がすための窓部６２ａが形成されている。また、検出フレーム６２のほぼ中央部には支持部６６が形成され、この支持部６６上にリミットスイッチ６７が設けられている。そして、検出レバー６３の回動によってこのリミットスイッチ６７がオン、オフするように構成される。なお、本実施の形態においては、リミットスイッチ６７内のバネによるスイッチピン６８の押圧力により検出レバー６３が検出フレーム６２に押し付けられるように構成される。なお、このリミットスイッチ６７は上述の中継基板１６に接続されている。
【００４１】
図７に示すように、検出フレーム６２の検出レバー６３が設けられていない側の端部には、紙終端検出器２４を回動させるための把持部６９が一体的に形成されている。この把持部６９は、板状の基部に３つの凸部６９ａ〜６９ｃが形成されて構成される。
【００４２】
図７及び図８に示すように、３つの凸部６９ａ〜６９ｃの曲率中心付近には支軸としてのボルト２５を通すための長孔７２が形成されており、しかも、この長孔７２は、そのほぼ中央部分がくびれるように膨出部７３が形成されている。
【００４３】
その周囲には、ナット７０を回転不可となるように環状のリブ７１が形成されている。
【００４４】
なお、本実施の形態においては、検出フレーム６２は樹脂からなり、しかも、金属製のボルト２５は、その頭部が直接本体フレーム１３に接触するように構成されている。したがって、ボルト２５は電気的に本体フレーム１３と接続されているから、静電気はボルト２５に帯電することがなく、紙終端検出器２４のリミットスイッチ６７は静電気による破壊は起こらない。
【００４５】
図１０は、本実施の形態における紙終端検出器２４を本体フレーム１３に取り付けた状態を示すものであり、図１０（ａ）は、本体フレーム１３の底面２８及びその傾斜部２８ａを下にしてプリンタ１を設置する場合、図１０（ｂ）は、本体フレーム１３の背面２９を下にしてプリンタ１を設置する場合を示すものである。
【００４６】
上述したように、紙終端検出器２４は、支軸であるボルト２５を中心にして本体フレーム１３に回動自在に取り付けられ、検出レバー６３の検出子６４が本体フレーム１３に設けられた孔３２ａ及び孔３２ｂに入り込むように構成される。すなわち、孔３２ａ及び孔３２ｂは、支軸から等距離の位置に設けられている。この場合、孔３２ａ及び孔３２ｂは、支軸であるボルト２５を中心として、例えば９０°の角度をもって設けられる。
【００４７】
そして、孔３２ａ、孔３２ｂは、上述したロール紙ホルダ１７の案内部の近傍に設けられている。したがって、案内部３８及び案内部６０についても、支軸であるボルト２５を中心として、例えば９０°の角度をもって設けられる。一方、孔３２ａ及び孔３２ｂは、それぞれ紙終端検出器２４の長手方向に扁平する楕円の形状に形成されている。さらに、孔３２ａ及び孔３２ｂの近傍には検出レバー６３の突起６５を通すための四角形状の孔７４ａ、７４ｂが形成されている。なお、図１に示すように、把持部６９の凸部６９ａ〜ｃはロール紙ホルダ１７に形成したスリット状の案内孔１７０内に挿入されている。
【００４８】
一方、図に示しているように、本体フレーム１３の左側面には、紙終端検出部材と係合する係合部である曲げ起こし部８０〜８３が検出手段側に向かって形成されている。これらは、検出フレーム６２の平行に形成されている両側６２ｂ、６２ｃと当接し、紙終端検出器２４の位置を定めるものである。従って、紙終端検出器２４を曲げ起こし部８０、８１の間に配置すると、検出レバー６３の検出子６４は記録紙Ｓが小径になったとき保持される案内部３８と対応する。
【００４９】
そして、プリンタ１の設置角度を変える場合には、ボルト２５を緩めて紙終端検出器２４を回動可能な状態にし、把持部６９の凸部６９ｃ又は６９ａをつまんで時計方向又は反時計方向に回転させ、曲げ起こし部８２、８３の間に配置する紙終端検出器を配置する。検出レバー６３の検出子６４は記録紙Ｓが小径になったとき保持される案内部６０と対応する孔３２ｂに、突起部６５は孔７４ｂに挿入される。
【００５０】
また、市販されている記録紙には、巻芯の外径が１８ｍｍと２２ｍｍの２種類があり、本実施の形態では、記録紙の巻芯の種類に対応可能となっている。すなわち、巻芯の外径が大きい場合は、検出レバー６３の検出子６４が案内部の底部から離れるようにあるいは、巻芯の外径が小さい場合は、近づくように紙終端検出器をボルト２５に対して調整する。本実施の形態においては、ボルト２５を通すための調整用の長孔７２が形成され、しかも、この長孔７２は、そのほぼ中央部分がくびれるように膨出部７３が形成されていることから、クリック感をもって検出レバー６３を最適位置に移動させることができる。
【００５１】
図１１は、本実施の形態における紙終端検出器２４の動作を示すものであり、図１１（ａ）は、紙終端検出器２４がオフの場合、図１１（ｂ）は紙終端検出器２４がオンの状態を示すものである。
【００５２】
図１１（ａ）に示すように、記録紙Ｓの残量が多い状態においては、検出レバー６３の検出子６４又は突起６５が記録紙Ｓの側面に突き当たるため、検出レバー６３が押し戻され、リミットスイッチ６７はオフの状態に保たれる。
【００５３】
ところで、本実施の形態のような感熱式プリンタの場合、記録紙Ｓがドットプリンタのように断続的に搬送されないので、巻戻しによる弛んだ記録紙がロール状の記録紙Ｓと幅方向にずれが生じた場合にその修正ができない課題がある。それを防止するために、記録紙Ｓをある程度揺動させるようにロール紙ホルダ１７の支持面１７ａ、１７ｃ、１７ｄ、１７ｅの位置や角度に工夫がなされている。詳述すると、記録紙Ｓは案内部３８上に位置し易いが、紙送りされると斜面のなだらかな支持面１７ｃ（第１支持面）に乗り上げ、急角度で形成された支持面１７ａ（第４支持面）によって記録紙Ｓは案内部３８まで巻戻される。このように記録紙Ｓの外径が大きい場合は断続的に巻戻しされながら繰り出される。記録紙Ｓが小径になると、案内部３８から脱しにくくなるが、幅方向にずれが生じても、重さも軽いの容易に修正される。
【００５４】
記録紙Ｓが中位の径の場合は、記録紙Ｓの外周が急角度に形成された支持部１７ａに当接する位置に移動すると、検出レバー６３の検出子６４が記録紙Ｓの側面から外れ、リミットスイッチ６７が誤動作してしまうという問題がある。しかし、図１１（ａ）に示すように、本実施の形態によれば、記録紙Ｓが揺動した場合であっても、検出レバー６３の検出子６４又は突起６５のいずれか一方が記録紙Ｓの側面に突き当たるため、検出レバー６３は常に押し戻され、リミットスイッチ６７はオフの状態に保たれる。
【００５５】
そして、図１１（ｂ）に示すように、記録紙Ｓの残量がごくわずかになった場合には、記録紙Ｓが移動して検出レバー６３の検出子６４が巻芯部７５の空間７６内に入り込むため、リミットスイッチ６７がオフの状態になり、その旨の信号がＦＦＣ等によって接続された本プリンタを制御する主回路基板（図示せず）に接続される。
【００５６】
以上述べたように本実施の形態のプリンタ１によれば、残量が一定量以下になった記録紙Ｓを安定させるための複数の案内部３８、６０が設けられ、紙終端検出器２４の位置をプリンタ１の設置角度に応じて案内部３８又は案内部６０の近傍に移動可能としたことから、プリンタ１の設置角度が変わった場合であっても、残量が一定量以下になった記録紙Ｓの巻芯部７５と紙終端検出器２４との位置関係を常に一定に保つことができ、設置位置によらずロール状の記録紙Ｓの正確な紙終端の検出が可能になり、しかも、複数の紙終端検出手段を設ける必要がないので、構成を複雑にすることもない。
【００５７】
また、本実施の形態においては、紙終端検出器２４が直交する位置に位置決めされることから、プリンタ１を水平な台の上のみならず、例えば、鉛直な壁面に設置した場合においても、常にロール状の記録紙Ｓの正確な紙終端の検出を行うことができる。
【００５８】
また、紙終端検出器２４は、ボルト２５及びナット７０によって本体フレーム１３に回動自在に固定され、これらを緩めて紙終端検出器２４を回動することによりその位置を移動できるので、紙終端検出器２４と記録紙Ｓの巻芯部７５との相対的な位置関係を変えることなく、きわめて容易にプリンタ１の案内部３８又は６０の近傍に紙終端検出器２４を移動することができ、プリンタ１の設置作業を楽に行うことができる。
【００５９】
さらに、検出レバー６３には、記録紙Ｓに対向する突起６５が設けられていることから、記録紙Ｓが揺動した場合であっても、紙終端検出器２４は常にオフの状態に保たれるため、紙終端の検出の誤動作を防止することができる。
【００６０】
この場合、突起６５の側部に傾斜面６５ａが設けられていることから、紙終端検出器２４を移動する際に、本体フレーム１３の孔７４ａ又は７４ｂの縁により記録紙収納部の外側へ移動されて引っかかることがなく、容易にニアエンド検出器２４の移動を行うことができ、プリンタ１の設置作業を楽に行うことができる。
【００６１】
一方、本実施の形態においては、案内部６０を構成する支持部６１がロール紙ホルダ１７と別体に構成されていることから、本体フレーム１３を製造する際に型抜きを容易に行うことができ、製造工程を簡易化することができる。
【００６２】
なお、本発明は上述の実施の形態に限られることなく、種々の変更を行うことができる。例えば、上述の実施の形態においては、案内部を２つ設けるようにしたが、３つ以上案内部を設け、各案内部の位置に応じて紙終端検出手段を位置決めるようにしてもよい。
【００６３】
また、上述の実施の形態においては、紙終端検出手段を互いに直交する位置に位置決めるように構成したが、本発明はこれに限られず、プリンタの設置角度に応じて種々の角度に位置決めるようにしてもよい。
【００６４】
さらに、紙終端検出手段についても、リミットスイッチを用いたものには限られず、例えば、光学的な手段によって記録紙の紙終端を検出するものを用いることもできる。もっとも、本実施の形態のように、リミットスイッチを用いたものを使用すれば、簡易かつ確実に紙終端の検出を行うことができるというメリットがある。
【００６５】
さらにまた、本体フレームの後部に設けられる案内部を構成する支持部を、上部カバーと一体的に形成することもできる。ただし、本実施の形態のように、別体とした支持部を、ロール紙ホルダに固定するように構成すれば、この案内部の組立精度を向上させることができる。
【００６６】
さらにまた、紙終端検出手段の位置決めとして、本体フレームに曲げ起こし部を設けて紙終端検出器をその間に位置させる実施の形態としたが、一つの曲げ起こし部であってもよいものであり、また本体フレームもしくは検出フレームの一方に凸部を他方に孔もしくは穴を配置してそれらを係合させてもよいものである。
【００６７】
【発明の効果】
以上述べたように本発明によれば、収納部内にある記録紙は折曲部、及び各支持面によってある程度揺動し、巻戻しによるずれが生じても、そのずれは揺動することによって修正される。故に、ロール紙の搬送時に、巻戻しによるずれが残り、ロール紙の搬送に不具合が生じることを防止することができる。
【図面の簡単な説明】
【図１】本発明に係るプリンタの一実施の形態の内部構成を示す斜視図で、カバーフレームを開けた状態を示すものである。
【図２】同実施の形態の外観構成を示す斜視図である。
【図３】同実施の形態の内部構成を示す側断面図である。
【図４】同実施の形態において記録紙が小径となった場合の安定位置を示すための説明図である。
【図５】同実施の形態における本体フレームの底面の傾斜部を下にして水平面上にプリンタを設置した場合の記録紙の安定位置を示す説明図である。
【図６】同実施の形態における本体フレームの背面を下にしてプリンタを設置した場合の記録紙の安定位置を示す説明図である。
【図７】同実施の形態における紙終端検出器を示す正面図である。
【図８】同実施の形態における紙終端検出器の本体フレームへの固定部分を示す拡大正面図である。
【図９】同実施の形態における紙終端検出器を示す側面図である。
【図１０】同実施の形態における紙終端検出器を本体フレームに取り付けた状態を示すものであり、図１０（ａ）は、本体フレームの底面及びその傾斜部を下にしてプリンタを設置する場合、図１０（ｂ）は、本体フレームの背面を下にしてプリンタを設置する場合を示すものである。
【図１１】同実施の形態における紙終端検出器の動作を示す説明図であり、図１１（ａ）は、紙終端検出器がオフの状態、図１１（ｂ）は紙終端検出器がオンの状態を示すものである。
【符号の説明】
１０    カバーフレーム
１３    本体フレーム
１７    ロール紙ホルダ
２４    紙終端検出器
２５    ボルト
３２ａ、３２ｂ  孔
３８    案内部
６０    案内部
６１    支持部
６１ａ  支持面
６２    フレーム
６３    検出レバー
６４    検出子
６５    突起部
６７    リミットスイッチ
６９    把持部
６９ａ、６９ｂ、６９ｃ    凸部
７０    ナット
７１    リブ
７２    長孔
７３    膨出部
７５    巻芯部
７６    空間
Ｓ    記録紙
【図１】
0003562515.tif 000002
【図２】
0003562515.tif 000003
【図３】
0003562515.tif 000004
【図４】
0003562515.tif 000005
【図５】
0003562515.tif 000006
【図６】
0003562515.tif 000007
【図７】
0003562515.tif 000008
【図８】
0003562515.tif 000009
【図９】
0003562515.tif 000010
【図１０】
0003562515.tif 000011
【図１１】
0003562515.tif 000012